(57)【要約】【課題】  ケースの不正開放を防止しつつ２つの基板を収容することができる基板ケースを提供する。【解決手段】  本発明に係る基板ケース５５は、本体側係合部１１０と蓋側係合部１２０とが対向して重なると、本体側接続部材１３０と蓋側接続部材１４０とが係合して本体側係合部１１０と蓋側係合部１２０とが連結され、本体側係合部１１０および蓋側係合部１２０からの本体側接続部材１３０および蓋側接続部材１４０の離脱が規制されて、ケース本体部材６０にケース蓋部材７０を装着した状態を保持するように構成される。【選択図】  図２３
2006020729.tif 000002
【特許請求の範囲】
【請求項１】
ケース本体部材と、前記ケース本体部材に装着されるケース蓋部材とを備えた基板ケースにおいて、
前記ケース本体部材に前記ケース蓋部材を装着して形成されるケース内部に、遊技機に搭載された電子部品を制御する第１の基板と、前記第１の基板と電気的に接続された第２の基板とを収容可能に構成されており、
前記ケース本体部材に設けられた本体側係合部と、
前記ケース蓋部材に設けられ、前記ケース本体部材に前記ケース蓋部材を装着したときに前記本体側係合部と対向して重なるように形成された蓋側係合部と、
前記本体側係合部に係脱可能に係合した本体側接続部材と、
前記蓋側係合部に係脱可能に係合し、前記蓋側係合部と係合した状態で前記本体側係合部と係合した前記本体側接続部材と係合可能な蓋側接続部材とを備え、
前記本体側係合部と前記蓋側係合部とが対向して重なると、前記本体側接続部材と前記蓋側接続部材とが係合して前記本体側係合部と前記蓋側係合部とが連結され、前記本体側係合部および前記蓋側係合部からの前記本体側接続部材および前記蓋側接続部材の離脱が規制されて、前記ケース本体部材に前記ケース蓋部材を装着した状態を保持するように構成されることを特徴とする基板ケース。
【請求項２】
前記本体側係合部および前記蓋側係合部の一端にそれぞれ開口が形成され、前記ケース本体部材に前記ケース蓋部材を装着したときに前記本体側係合部および前記蓋側係合部の前記開口が互いに対向して繋がり閉鎖されるように構成されており、
前記本体側接続部材は、前記本体側係合部の前記開口から前記本体側係合部内の本体側挿入部に挿入され、前記本体側挿入部において前記挿入方向と平行な回転軸の回りに第１所定角度だけ一方向に回転することで前記本体側係合部と係合するように構成され、
前記蓋側接続部材は、前記蓋側係合部の他端に形成された挿入口から前記蓋側係合部内の蓋側挿入部に挿入され、前記蓋側挿入部において前記挿入方向と平行な回転軸の回りに前記第１所定角度より少ない第２所定角度だけ前記一方向に回転することで前記蓋側係合部と係合するように構成されていることを特徴とする請求項１に記載の基板ケース。
【発明の詳細な説明】
【技術分野】
【０００１】
本発明は、パチンコ機やスロットマシン等の遊技機において遊技機の作動を制御する制御基板等を収容する基板ケースに関し、さらに詳しくは、制御基板等を収容した状態の基板ケースを不正に開放できなくして制御基板等に対する不正行為を防止する基板ケースの不正開放防止機構に関する。
【背景技術】
【０００２】
パチンコ機やスロットマシン等の遊技機では遊技機の作動を制御する制御基板が設けられている。例えば、パチンコ機では外枠に対して開閉可能に組み付けられた前枠裏側の収容枠に遊技盤及び裏機構盤が装備され、この裏機構盤に主基板やサブ制御基板等が取り付けられている。スロットマシンにおいても同様に、スロットマシンの内部に主基板やサブ制御基板等が取り付けられている。
【０００３】
パチンコ機に用いられる主基板は、図柄の抽選や、賞球の払出制御、電動役物の開閉制御等を行う基板であり、所定の制御ソフトウェアが記録されたＲＯＭが搭載されて、パチンコ機の作動を統括的に制御する中枢制御装置としての役割を有している。このため、主基板は偽造ＲＯＭへの差し替え等の不正改造を受け難いように基板ケース内に収容されるとともに、この基板ケースはケースを開いたときにその痕跡が残るような不正開放（もしくは不正着脱）防止手段を備えて構成されている。
【０００４】
サブ制御基板は、画像表示装置等による演出の制御を行う基板であり、主基板とハーネスを介して電気的に接続されている。また、サブ制御基板は、主基板と同様に、偽造ＲＯＭへの差し替え等の不正改造を受け難いように基板ケース内に収容されている。また、サブ制御基板には、前枠に設けられた演出ボタンからの入力信号が受信されるようになっており、演出ボタンの操作に応じた演出の制御をサブ制御基板が行うようになっている。
【特許文献１】特開平１１−２２６２２０号公報
【特許文献２】特開２００３−７１０７５号公報
【発明の開示】
【発明が解決しようとする課題】
【０００５】
また、主基板やサブ制御基板の他に、パチンコ機には、主基板とサブ制御基板との間に設けられるメイン中継基板等、種々の中継基板が設けられている。しかしながら、例えばメイン中継基板においては、主基板とメイン中継基板との間に行われる「ぶら下がり」と称される不正行為や、主基板またはメイン中継基板が不正な基板（不正ＲＯＭ）と交換される不正行為が行われる可能性があり、基板ケースに２つの基板を収容することで、「ぶら下がり」等の不正行為を防止する必要性が高まっていた。
【０００６】
本発明は、このような問題に鑑みて成されたものであり、ケースの不正開放を防止しつつ２つの基板を収容することができる基板ケースを提供することを目的とする。
【課題を解決するための手段】
【０００７】
このような目的達成のため、本発明に係る基板ケースは、ケース本体部材と、ケース本体部材に装着されるケース蓋部材とを備えた基板ケース（例えば、実施形態における主基板ケース５５）において、ケース本体部材にケース蓋部材を装着して形成されるケース内部に、遊技機に搭載された電子部品を制御する第１の基板（例えば、実施形態における主基板５１）と、第１の基板と電気的に接続された第２の基板（例えば、実施形態におけるメイン中継基板９１）とを収容可能に構成される。
【０００８】
そして、ケース本体部材に設けられた本体側係合部と、ケース蓋部材に設けられ、ケース本体部材にケース蓋部材を装着したときに本体側係合部と対向して重なるように形成された蓋側係合部と、本体側係合部に係脱可能に係合した本体側接続部材と、蓋側係合部に係脱可能に係合し、蓋側係合部と係合した状態で本体側係合部と係合した本体側接続部材と係合可能な蓋側接続部材とを備え、本体側係合部と蓋側係合部とが対向して重なると、本体側接続部材と蓋側接続部材とが係合して本体側係合部と蓋側係合部とが連結され、本体側係合部および蓋側係合部からの本体側接続部材および蓋側接続部材の離脱が規制されて、ケース本体部材にケース蓋部材を装着した状態を保持するように構成される。
【０００９】
また、上述の発明において、本体側係合部および蓋側係合部の一端にそれぞれ開口が形成され、ケース本体部材にケース蓋部材を装着したときに本体側係合部および蓋側係合部の開口が互いに対向して繋がり閉鎖されるように構成されており、本体側接続部材は、本体側係合部の開口から本体側係合部内の本体側挿入部に挿入され、本体側挿入部において挿入方向と平行な回転軸の回りに第１所定角度だけ一方向に回転することで本体側係合部と係合するように構成され、蓋側接続部材は、蓋側係合部の他端に形成された挿入口から蓋側係合部内の蓋側挿入部に挿入され、蓋側挿入部において挿入方向と平行な回転軸の回りに第１所定角度より少ない第２所定角度だけ一方向に回転することで蓋側係合部と係合するように構成されていることが好ましい。
【発明の効果】
【００１０】
本発明によれば、本体側係合部に係合した本体側接続部材と蓋側係合部に係合した蓋側接続部材とを係合させることにより、本体側係合部と蓋側係合部とが連結されるため、本体側係合部と蓋側係合部とを容易に連結させることができ、ケース本体部材とケース蓋部材とを閉止状態で容易に結合保持することができる。そのため、ケースの不正開放を簡便に防止しつつ２つの基板を基板ケース内に収容することが可能となる。
【００１１】
また、本体側接続部材および蓋側接続部材が本体側係合部および蓋側係合部に対して係脱可能に構成されるため、例えば、蓋側接続部材が切断可能に構成されることにより、蓋側接続部材を切断してケース本体部材からケース蓋部材を外した後、切断された一方の蓋側接続部材を蓋側係合部から離脱させるとともに切断された他方の蓋側接続部材と係合した本体側接続部材を本体側係合部から離脱させ、切断されていない蓋側接続部材および本体側接続部材を用いて再び本体側係合部と蓋側係合部とを連結させることで、ケース本体部材とケース蓋部材とを再度閉止状態で結合保持することができる。
【００１２】
さらに、例えば、ケース本体部材およびケース蓋部材に複数の本体側係合部および蓋側係合部を設けることにより、ケース本体部材と本体側係合部との連結部もしくはケース本体部材と本体側係合部との連結部を切断することでケース本体部材からケース蓋部材を外した後、連結部が切断された組の本体側係合部および蓋側係合部から本体側接続部材および蓋側接続部材を離脱させ、離脱させた本体側接続部材および蓋側接続部材を用いてまだ連結部が切断されていない組の本体側係合部と蓋側係合部とを連結させることで、本体側接続部材および蓋側接続部材を再利用しつつ、ケース本体部材とケース蓋部材とを再度閉止状態で結合保持することができる。
【００１３】
また、本体側接続部材が本体側係合部内の本体側挿入部において挿入方向と平行な回転軸の回りに第１所定角度だけ一方向に回転することで本体側係合部と係合するように構成されるとともに、蓋側接続部材が蓋側係合部内の蓋側挿入部において挿入方向と平行な回転軸の回りに第１所定角度より少ない第２所定角度だけ一方向に回転することで蓋側係合部と係合するように構成されることで、本体側接続部材および蓋側接続部材を本体側係合部および蓋側係合部に対して容易に係脱させることができる。
【発明を実施するための最良の形態】
【００１４】
以下、本発明の好ましい実施形態について図面を参照しながら説明する。本発明に係る基板ケースを備えた遊技機の代表例としてパチンコ機ＰＭを図１および図２に示しており、まず、これらの図面を参照しながらパチンコ機ＰＭの全体構成について要約説明する。
【００１５】
パチンコ機ＰＭは、図１に示すように、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１６】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。また、球皿６の左側下部には演出ボタン９が配設されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。遊技盤１０の遊技領域ＰＡには、図示しない遊技釘や、各種入賞具１１，１２，１３、画像表示装置１５等が配設される。
【００１７】
前枠２の裏面側には、図２に示すように、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリ４０や主基板アッセンブリ５０等の各種制御基板アッセンブリおよび電子部品等が取り付けられ、これらの各機器および遊技盤１０の裏面に取り付けられたサブ制御基板アッセンブリ１８が図示省略するワイヤーハーネスで接続されている。
【００１８】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００１９】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００２０】
以上のように概要構成されるパチンコ機ＰＭにあって、主基板アッセンブリ５０に不正開放防止機構が設けられている。以下、主基板アッセンブリ５０について図３〜図８を参照しながら説明する。
【００２１】
主基板アッセンブリ５０は、図３〜図５に示すように、パチンコ機ＰＭの作動を統括的に制御する主基板５１と、主基板５１と電気的に接続されたメイン中継基板９１と、主基板５１およびメイン中継基板９１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主基板５１およびメイン中継基板９１の裏面側を覆う内部カバー８０とを備え、主基板５１およびメイン中継基板９１、並びに内部カバー８０がケース蓋部材７０の内面側に取り付けられた状態で、ケース蓋部材７０をケース本体部材６０へ装着可能に構成される。
【００２２】
主基板５１は、図５に示すように、主基板５１の中央部に配設されたＣＰＵ５２や、主基板５１の左側に配設された左側接続コネクタ５３、主基板５１の右側に配設された複数の右側接続コネクタ５４，５４，…等の電子部品を備えて構成される。主基板５１の四隅には、基板取付孔５１ａ，５１ａ，…が形成されており、ケース蓋部材７０に形成された基板取付部７１のボス部７１ｂと嵌合するようになっている。
【００２３】
メイン中継基板９１は、図５に示すように、メイン中継基板９１の左側に配設された複数の左側中継コネクタ９３，９３，…や、メイン中継基板９１の右側に配設された右側中継コネクタ９４等の電子部品を備え、主基板５１からの信号のみを受信可能に構成される。右側中継コネクタ９４は、図示しないハーネスを介して主基板５１の左側接続コネクタ５３と電気的に接続されるようになっており、これによりメイン中継基板９１が主基板５１と電気的に接続されて、主基板５１からの信号が（一方向に）受信されるようになっている。そして、左側中継コネクタ９３，９３，…の一つは、サブ制御基板アッセンブリ１８のサブ制御基板（図示せず）に繋がっており、主基板５１からの信号がメイン中継基板９１を介してサブ制御基板に送信されるようになっている。また、左側中継コネクタ９３，９３，…の残りは、図示しない払出制御基板等と繋がっている。
【００２４】
メイン中継基板９１の四隅には、基板取付孔９１ａ，９１ａ，…が形成されており、主基板５１と同様に、基板取付部７１のボス部７１ｂと嵌合するようになっている。なお、主基板５１はケース蓋部材７０の内面右側に、メイン中継基板９１はケース蓋部材７０の内面左側に取り付けられるようになっている。また、サブ制御基板アッセンブリ１８のサブ制御基板（図示せず）は、演出ボタン９と電気的に接続されており、演出ボタン９からの入力信号が受信されるようになっている。なお、サブ制御基板は、主基板５１とサブ制御基板との間にメイン中継基板９１を設けることで、演出ボタン９からの入力信号を受信することが可能となる。
【００２５】
ケース本体部材６０は、図５に示すように、前面側に開口を有する矩形箱状の形態をなし、ＡＢＳ樹脂やポリカーボネート（ＰＣ）等の透明な樹脂材料を用いて射出成形等の成形手段により一体的に成形される。ケース本体部材６０の底部には、補強リブ６１が縦横に形成されており、ケース本体部材６０の強度を向上させるとともに、ケース内部に収容された内部カバー８０が当接して受け止められるようになっている。
【００２６】
ケース本体部材６０の左端部にはヒンジ軸６２，６２が形成されており、ケース蓋部材７０のヒンジアーム７４，７４とそれぞれヒンジ係合するようになっている。ケース本体部材６０の上下側壁外面には、前方に突出する係止アーム６３，６３が形成されており、図７および図８に示すように、ケース蓋部材７０の係止突起７５，７５にそれぞれ係止するようになっている。
【００２７】
ケース本体部材６０の縁部内側には、内側ガードリブ６４が突出して形成されており、ケース蓋部材７０がケース本体部材６０に装着されるときに、ケース蓋部材７０の外側ガードリブ７８の内側に位置するようになっている。ケース本体部材６０の縁部外側には、縁部当接部６５が内側ガードリブ６４に繋がって形成されており、ケース蓋部材７０がケース本体部材６０に装着されるときに、外側ガードリブ７８が縁部当接部６５と当接するようになっている。
【００２８】
ケース蓋部材７０は、図５および図６に示すように、ケース本体部材６０の開口を覆う矩形箱状の形態をなし、ＡＢＳ樹脂やポリカーボネート（ＰＣ）等の透明な樹脂材料を用いて射出成形等の成形手段により一体的に成形される。図６および図２３に示すように、ケース蓋部材７０の裏面側（内面側）８箇所には、ボス形状の基板取付部７１，７１，…がネジ孔７１ａ，７１ａ，…を有して形成されており、主基板５１およびメイン中継基板９１、並びに内部カバー８０が基板取付ネジ８９によりネジ固定されてケース蓋部材７０の内面側に取り付けられるようになっている。
【００２９】
基板取付部７１の先端部には、主基板５１およびメイン中継基板９１と同等の厚さを有し、主基板５１およびメイン中継基板９１の基板取付孔５１ａ，９１ａより僅かに小さい径を有するボス部７１ｂが、主基板５１もしくはメイン中継基板９１の前面が当接する基板取付面７１ｃ（図２４を参照）より突出して形成されており、各基板取付孔５１ａ，９１ａと嵌合可能に構成されている。
【００３０】
ケース蓋部材７０の左側には、左コネクタ開口部７２が形成されており、図３および図２３に示すように、ケース蓋部材７０がケース本体部材６０に装着された状態で、メイン中継基板９１の左側中継コネクタ９３，９３，…が外部に露出するように構成されている。ケース蓋部材７０の右側には、右コネクタ開口部７３，７３，…が形成されており、ケース蓋部材７０がケース本体部材６０に装着された状態で、主基板５１の右側接続コネクタ５４，５４，…が外部に露出するように構成されている。なお、左右のコネクタ開口部７２，７３の周部（リブの部分）は、主基板５１およびメイン中継基板９１の前面側に当接することが好ましい。これにより、左右のコネクタ開口部７２，７３から針金やセル板等の道具がケース内部に挿入されるのを防止することができる。
【００３１】
ケース蓋部材７０の左端部には、図６に示すように、ヒンジアーム７４，７４が形成されており、ケース本体部材６０のヒンジ軸６２，６２とそれぞれヒンジ係合するようになっている。そして、ケース本体部材６０のヒンジ軸６２，６２とケース蓋部材７０のヒンジアーム７４，７４とをそれぞれヒンジ係合させることで、ケース蓋部材７０がケース本体部材６０に対しヒンジ軸６２を中心軸として揺動開閉自在に取り付けられる。
【００３２】
ケース蓋部材７０の上下側壁外面には、ケース本体部材６０の係止アーム６３，６３とそれぞれ係止可能な係止突起７５，７５が形成されている。そして、図７（ａ）に示すように、ケース蓋部材７０をケース本体部材６０の上に重ねて（揺動させて）閉止状態にすると、係止アーム６３，６３が係止突起７５，７５にそれぞれ係止して、ケース蓋部材７０がケース本体部材６０に対して閉止状態のまま装着保持されるようになっている。
【００３３】
係止突起７５の前方（図７および図８における上方）には係止補助突起７６が形成されており、図７（ａ）に示すように、係止アーム６３が係止突起７５に係止した状態で、係止補助突起７６が係止アーム６３の先端に（係止突起７５と反対側に）隣接するようになっている。これにより、係止アーム６３の先端に指または道具を引っ掛けることが難しくなるため、係止アーム６３の係止突起７５に対する係止状態が容易に解除されることを防止することができる。
【００３４】
なお、係止補助突起７６は、係止アーム６３が係止突起７５に係止した状態で、係止アーム６３の先端および両側部に隣接するように形成されてもよい。このようにすれば、係止アーム６３の先端に加え係止アーム６３の両側部に指または道具を引っ掛けることが難しくなるため、係止アーム６３の係止突起７５に対する係止状態が容易に解除されることをより確実に防止することができる。
【００３５】
係止突起７５の右方（図６における左方）には、指掛け部７７，７７が形成されており、係止アーム６３が係止突起７５に係止していない状態で、作業者がこの指掛け部７７，７７に指を掛けることで、ケース蓋部材７０をケース本体部材６０に対して揺動開閉させ易いようになっている。
【００３６】
ケース蓋部材７０の縁部外側には、外側ガードリブ７８が突出して形成されており、図７（ｂ）に示すように、ケース蓋部材７０がケース本体部材６０に装着されるときに、ケース本体部材６０における内側ガードリブ６４の外側に位置して、ケース本体部材６０の縁部当接部６５に当接するようになっている。これにより、ケース蓋部材７０の縁部（外側ガードリブ７８）とケース本体部材６０の縁部（縁部当接部６５）との間に若干の隙間を生じさせて、この隙間から針金やセル板等の道具（図示せず）をケース内部に挿入しようとしても、これらの道具をケース蓋部材７０の外側ガードリブ７８とケース本体部材６０の内側ガードリブ６４との間に形成されたラビリンス形状の僅かな隙間に通過させなければならないため、針金やセル板等の道具がケース内部に不正に挿入されるのを防止することができる。
【００３７】
ケース蓋部材７０の縁部内側には基板当接部７９が形成されており、図４に示すように、主基板５１およびメイン中継基板９１がケース蓋部材７０の内面側に取り付けられたときに、基板当接部７９が主基板５１およびメイン中継基板９１の縁部に当接し、主基板５１およびメイン中継基板９１の前面側がケース蓋部材７０に覆われるようになっている。これにより、ケース本体部材６０とケース蓋部材７０との隙間から針金やセル板等の道具がケース内部に挿入されても、これらの道具は主基板５１およびメイン中継基板９１の前面側に到達できないことから、主基板５１およびメイン中継基板９１に対する不正行為をより確実に防止することができる。
【００３８】
内部カバー８０は、矩形板状の形態をなし、ＡＢＳ樹脂やポリカーボネート（ＰＣ）等の透明な樹脂材料を用いて一体的に形成される。内部カバー８０の縁部近傍８箇所には、内部カバー取付部８２，８２，…がネジ通過孔８２ａ，８２ａ，…を有して形成されており、基板取付ネジ８９によりケース蓋部材７０の基板取付部７１，７１，…にネジ固定されるようになっている。
【００３９】
そして、ケース蓋部材７０の右側４箇所に位置する基板取付部７１のボス部７１ｂに主基板５１の基板取付孔５１ａを嵌合させるとともに、ケース蓋部材７０の左側４箇所に位置する基板取付部７１のボス部７１ｂにメイン中継基板９１の基板取付孔９１ａを嵌合させ、内部カバー８０を主基板５１およびメイン中継基板９１の裏面側に重ねて載置した状態で、基板取付ネジ８９を内部カバー８０のネジ通過孔８２ａに通過させて基板取付部７１のネジ孔７１ａにネジ固定することにより、主基板５１およびメイン中継基板９１、並びに内部カバー８０がケース蓋部材７０の内面側に取り付けられる。
【００４０】
内部カバー８０の縁部には、周囲リブ８３が主基板５１およびメイン中継基板９１の縁部と当接可能に形成されており、周囲リブ８３が主基板５１およびメイン中継基板９１の縁部と当接した状態で、内部カバー８０により主基板５１およびメイン中継基板９１の裏面側が覆われるようになっている。これにより、ケース本体部材６０とケース蓋部材７０との隙間から針金やセル板等の道具がケース内部に挿入されても、これらの道具は主基板５１およびメイン中継基板９１の裏面側に到達できないことから、主基板５１およびメイン中継基板９１に対する不正行為をより確実に防止することができる。
【００４１】
このようにして、ケース蓋部材７０がケース本体部材６０の開口を覆う閉止状態でケース本体部材６０に装着されているときには、係止アーム６３が係止突起７５に係止しているだけであり、ケース蓋部材７０をケース本体部材６０に対して容易に開放させることができる。そこで、閉止状態で装着されたケース蓋部材７０を開放できなくして不正操作を防止するために、基板アッセンブリ５０には不正開放防止機構が設けられている。そこで、図９〜図２６を追加参照しつつ、基板アッセンブリ５０に設けられた不正開放防止機構１００について以下に詳しく説明する。
【００４２】
不正開放防止機構１００は、図９に示すように、ケース本体部材６０に連結して設けられた４つの本体側係合部１１０，１１０，…（図５も参照）と、ケース蓋部材７０に連結して設けられた４つの蓋側係合部１２０，１２０，…（図５も参照）と、本体側係合部１１０と係脱可能に係合する本体側接続部材１３０と、蓋側係合部１２０と係脱可能に係合する蓋側接続部材１４０とを備え、ケース蓋部材７０がケース本体部材６０に対して閉じたときに本体側接続部材１３０と蓋側接続部材１４０とが係合することで本体側係合部１１０と蓋側係合部１２０とを連結可能に構成される。
【００４３】
本体側係合部１１０は、図５および図９に示すように、ケース本体部材６０の右端において、一端（図９における上方）に本体側開口部１１１を有する有底円筒状にケース本体部材６０と一体に形成される。なお、ケース本体部材６０と本体側係合部１１０とに跨って、ケース本体部材６０と本体側係合部１１０とを連結する本体側連結部１１９が形成されている。本体側係合部１１０の内部には本体側挿入部１１２が形成されており、図１０〜図１２に示すように、本体側接続部材１３０が挿入されるようになっている。
【００４４】
本体側係合部１１０の内側部２箇所には、図１４に示すように、本体側係合片１１３，１１３がそれぞれ突出して形成されており、本体側接続部材１３０の庇部１３２，１３２とそれぞれ係合可能に構成されている。なお、２つの本体側係合片１１３，１１３は、１８０度間隔で（互いに対向して）本体側係合部１１０の内側部に配置される。また、図１５に示すように、本体側係合片１１３の底部には、本体側接続部材１３０の突起部１３４の形状に合わせて係合穴部１１４が形成されている。
【００４５】
蓋側係合部１２０は、図６および図１６に示すように、ケース蓋部材７０の右端において、一端（図１６における手前側）に蓋側開口部１２１を有する円筒状にケース蓋部材７０と一体に形成され、ケース蓋部材７０をケース本体部材６０へ装着したときに本体側係合部１１０と対向して重なるように構成される。なお、図６に示すように、ケース蓋部材７０と蓋側係合部１２０とに跨って、ケース蓋部材７０と蓋側係合部１２０とを連結する蓋側連結部１２９が形成されている。また、蓋側連結部１２９は切断可能に構成されており、この蓋側連結部１２９を切断することで蓋側係合部１２０とケース蓋部材７０とを分離することができるようになっている。
【００４６】
なお、前述したように、主基板ケース５５（ケース本体部材６０およびケース蓋部材７０）の材料として透明な樹脂材料を使用しているが、その中でもＡＢＳ樹脂を使用することが好ましい。これにより、上記のような部材に対する切断操作を行うと、ＡＢＳ樹脂の成分であるブタジエンがゴム性を有して伸び、部材が割れずに白化しやすいため、その切断痕跡が明確に残りやすいという効果が得られる。また、主基板ケース５５を無理にこじ開けようとしても、同様に部材が白化して（こじ開けた）痕跡が明確に残りやすいという効果が得られる。
【００４７】
蓋側係合部１２０の一端側には、図１６に示すように、蓋側係合部１２０の胴部より若干径の小さい蓋側嵌合部１２２が形成されており、図２６に示すように、蓋側係合部１２０が本体側係合部１１０と対向して重なるときに、本体側係合部１１０の本体側開口部１１１から内側に入り込んで本体側係合部１１０と嵌合するようになっている。また、蓋側嵌合部１２２の基端部に繋がって先端当接部１２２ａが形成されており、蓋側係合部１２０が本体側係合部１１０と対向して重なるときに、本体側係合部１１０の一端側縁部が当接するようになっている。
【００４８】
これにより、ケース蓋部材７０をケース本体部材６０へ装着したときに、本体側係合部１１０の本体側開口部１１１と蓋側係合部１２０の蓋側開口部１２１とが互いに対向して繋がり閉鎖される。そのため、蓋側係合部１２０が本体側係合部１１０と対向して重なる状態で、蓋側係合部１２０の蓋側嵌合部１２２が本体側係合部１１０と嵌合し、本体側係合部１１０および蓋側係合部１２０の内部への不正なアクセスが防止される。
【００４９】
蓋側係合部１２０の他端には、図９および図１７に示すように、蓋側接続部材１４０が通過可能な挿入口１２３が形成される。蓋側係合部１２０の内部中央には、仕切壁１２４が蓋側係合部１２０の内部を塞ぐように形成されており、この仕切壁１２４の他端側に隣接して蓋側接続部材１４０を挿入可能な蓋側挿入部１２５が形成されている。
【００５０】
仕切壁１２４の中央部には通過穴１２６が形成されており、蓋側接続部材１４０の接続部材係合部１４１（胴部）が通過できるようになっている。また、通過穴１２６の周部に繋がって一対の突起通過部１２６ａ，１２６ａが対称に形成されており、蓋側接続部材１４０の係合突起１４２，１４２がそれぞれ通過できるようになっている。さらに、突起通過部１２６ａ，１２６ａを除く通過穴１２６の周部には、一対の支持リブ１２７，１２７が他端側（挿入口１２３の方）へ延びるように形成されており、接続部材係合部１４１の側方を支持するようになっている。
【００５１】
蓋側係合部１２０の挿入口１２３には、図９および図１７に示すように、蓋側係合片１２８，１２８がそれぞれ突出して形成されており、蓋側接続部材１４０の係合溝部１５３，１５３とそれぞれ係合可能に構成されている。なお、２つの蓋側係合片１２８，１２８は、突起通過部１２６ａ，１２６ａに対して９０度だけ相対回転した向きに、１８０度間隔で（互いに対向して）蓋側係合部１２０の挿入口１２３に配置される。
【００５２】
本体側接続部材１３０は、図１８〜図２０に示すように、ＡＢＳ樹脂やポリカーボネート（ＰＣ）等の樹脂材料を用いて、スライド構造を有しない射出成形等の成形手段により円筒状に一体的に成形される。本体側接続部材１３０の側部基端側には、一対の本体側穴部１３１，１３１が対称に（１８０度間隔で）形成されており、蓋側接続部材１４０の係合突起１４２，１４２とそれぞれ係合するようになっている。
【００５３】
本体側接続部材１３０の基端部（図２０における下方）には、一対の庇部１３２，１３２が側方に突出して形成されており、本体側係合部１１０の本体側係合片１１３，１１３とそれぞれ係合可能に構成されている。また、庇部１３２，１３２の周部は、本体側係合部１１０の本体側挿入部１１２における内周部の形状に合わせて形成されており、本体側挿入部１１２に挿入された本体側接続部材１３０が本体側接続部材１３０の挿入方向と平行な回転軸の回りに回転できるようになっている。一対の庇部１３２，１３２の間隙部には、本体側係合部１１０の本体側係合片１１３，１１３が通過可能な逃げ部１３３，１３３がそれぞれ形成されており、本体側接続部材１３０を本体側係合部１１０の本体側開口部１１１から内部へ挿入する際に本体側係合片１１３，１１３を逃げ部１３３，１３３にそれぞれ通過させることで、本体側接続部材１３０を本体側係合部１１０の本体側挿入部１１２に挿入することができるようになっている。
【００５４】
庇部１３２の表面中央部には突起部１３４がそれぞれ形成されており、図１２に示すように、本体側挿入部１１２に挿入された本体側接続部材１３０を本体側接続部材１３０の挿入方向と平行な回転軸の回りに９０度（第１所定角度）だけ一方向に（図１１における時計回りに）回転させて、突起部１３４を本体側係合部１１０の係合穴部１１４に位置させることで、庇部１３２と本体側係合部１１０の本体側係合片１１３とが係合するようになっている。これにより、本体側接続部材１３０が本体側挿入部１１２において挿入方向と平行な回転軸の回りに９０度（第１所定角度）だけ一方向に回転することで本体側係合部１１０と係合することができ、本体側接続部材１３０を本体側係合部１１０に対して容易に係脱させることができる。
【００５５】
なお、本体側接続部材１３０を９０度（第１所定角度）だけ他方向に（図１１における反時計回りに）回転させても、庇部１３２と本体側係合片１１３とを係合させることができる。また、一対の庇部１３２，１３２および突起部１３４，１３４は、本体側穴部１３１，１３１と同じ方向に（１８０度間隔で）配置される。すなわち、逃げ部１３３，１３３は、本体側穴部１３１，１３１に対して９０度だけ相対回転した向きに１８０度間隔で配置される。また、本体側接続部材１３０の先端部（図２０における上方）には、一対の溝部１３５，１３５が形成されており、この溝部１３５，１３５に指を掛けて摘むことで、本体側接続部材１３０を容易に回転させることができるようになっている。
【００５６】
蓋側接続部材１４０は、図９、図２１および図２２に示すように、ＡＢＳ樹脂やポリカーボネート（ＰＣ）等の樹脂材料を用いて、射出成形等の成形手段により略コマ形状に一体的に成形され、本体側接続部材１３０と係合可能な略筒状の接続部材係合部１４１と、接続部材係合部１４１の周囲に連結されて蓋側係合部１２０と係脱可能に係合するリング状の保持部１５１と、接続部材係合部１４１と保持部１５１とを連結する接続部材連結部１５９とを主体に構成される。接続部材係合部１４１の先端部には、一対の係合突起１４２，１４２が弾性変形可能に形成されており、本体側接続部材１３０の本体側穴部１３１，１３１とそれぞれ係合するようになっている。
【００５７】
接続部材係合部１４１の基端部には摘み部１４３が形成されており、この摘み部１４３を摘んで蓋側接続部材１４０を容易に回転させることができるようになっている。また、摘み部１４３は、図２４に示すように、蓋側係合部１２０と蓋側接続部材１４０とが係合した状態で、蓋側係合部１２０の他端側（図２４における上方）に突出するようになっている。これにより、工具等を用いずに蓋側係合部１２０と係合した（蓋側挿入部１２５に挿入された）蓋側接続部材１４０を容易に回転させることができる。
【００５８】
保持部１５１は、蓋側係合部１２０の蓋側挿入部１２５における内周部の形状に合わせたリング状に形成されており、蓋側挿入部１２５に挿入された蓋側接続部材１４０（保持部１５１）が蓋側接続部材１４０の挿入方向と平行な回転軸の回りに回転できるようになっている。保持部１５１の側部２箇所には、蓋側係合部１２０の蓋側係合片１２８，１２８が通過可能な通過溝部１５２，１５２が保持部１５１の中心軸方向に延びて形成されており、図１３（ｂ）に示すように、蓋側接続部材１４０を蓋側係合部１２０の挿入口１２３から内部へ挿入する際に蓋側係合片１２８，１２８を通過溝部１５２，１５２にそれぞれ通過させることで、保持部１５１（蓋側接続部材１４０）を蓋側挿入部１２５に挿入することができるようになっている。なお、２つの通過溝部１５２，１５２は、係合突起１４２，１４２に対して図２１における時計回りに１５度だけ相対回転した向きに、１８０度間隔で（対称に）保持部１５１の側部に配置される。
【００５９】
通過溝部１５２から図２１における反時計回りに１５度だけ相対回転した位置には、蓋側係合部１２０の蓋側係合片１２８と係合可能な係合溝部１５３が通過溝部１５２に繋がって形成されており、図１３（ｃ）に示すように、蓋側挿入部１２５に挿入された蓋側接続部材１４０（保持部１５１）を蓋側接続部材１４０の挿入方向と平行な回転軸の回りに１５度（第２所定角度）だけ一方向に（図１３における時計回りに）回転させることで、蓋側係合片１２８と係合溝部１５３とが係合するようになっている。これにより、蓋側接続部材１４０（保持部１５１）が蓋側挿入部１２５において挿入方向と平行な回転軸の回りに９０度（第１所定角度）より少ない１５度（第２所定角度）だけ一方向に回転することで蓋側係合部１２０と係合することができ、蓋側接続部材１４０を蓋側係合部１２０に対して容易に係脱させることができる。なお、係合溝部１５３の向きは係合突起１４２の向きとほぼ同じになる。
【００６０】
また、係合溝部１５３に（通過溝部１５２の反対側に）隣接して第１ストッパー部１５４が形成されており、蓋側係合部１２０と係合した蓋側接続部材１４０（保持部１５１）の一方向への（図１３における時計回りの）回転が規制されるようになっている。さらに、通過溝部１５２に（係合溝部１５３の反対側に）隣接して第２ストッパー部１５５が形成されており、蓋側挿入部１２５に挿入された蓋側接続部材１４０（保持部１５１）の他方向への（図１３における反時計回りの）回転が規制されるようになっている。また、保持部１５１の底部には、蓋側挿入部１２５の底部（仕切壁１２４）の形状に合わせて面取り部１５６が形成されている。
【００６１】
このように構成される不正開放防止機構１００において、ケース蓋部材７０をケース本体部材６０に対して閉じた状態で本体側係合部１１０と蓋側係合部１２０とを連結するには、まず、本体側接続部材１３０を所望の（例えば、図３における一番奥の）本体側係合部１１０と係合させるとともに、蓋側接続部材１４０を所望の（上述の）本体側係合部１１０と連結可能な蓋側係合部１２０と係合させる。本体側接続部材１３０を本体側係合部１１０と係合させるには、まず、本体側接続部材１３０を本体側係合部１１０の本体側開口部１１１から内部へ挿入し、本体側係合部１１０の本体側係合片１１３，１１３を本体側接続部材１３０の逃げ部１３３，１３３にそれぞれ通過させるようにして本体側接続部材１３０を本体側係合部１１０の本体側挿入部１１２に挿入する。
【００６２】
そして、図１０〜図１２に示すように、本体側挿入部１１２に挿入された本体側接続部材１３０を本体側接続部材１３０の挿入方向と平行な回転軸の回りに９０度（第１所定角度）だけ一方向に（図１１における時計回りに）回転させて、本体側接続部材１３０の突起部１３４を本体側係合部１１０の係合穴部１１４に位置させることで、本体側係合部１１０の本体側係合片１１３と本体側接続部材１３０の庇部１３２とを係合させる。これにより、小さな回転力による本体側接続部材１３０の回転が規制された状態で、本体側接続部材１３０が本体側係合部１１０と係脱可能に係合する。なお、本体側係合部１１０の他端側（底部）からは、本体側接続部材１３０にアクセスして本体側接続部材１３０を回転させることができないようになっている。
【００６３】
一方、蓋側接続部材１４０を蓋側係合部１２０と係合させるには、まず、蓋側接続部材１４０の接続部材係合部１４１を蓋側係合部１２０の挿入口１２３から内部へ挿入し、接続部材係合部１４１の係合突起１４２，１４２を蓋側係合部１２０の突起通過部１２６ａ，１２６ａにそれぞれ通過させるようにして、接続部材係合部１４１を蓋側係合部１２０の通過穴１２６および蓋側開口部１２１に通過させる。このとき、蓋側係合部１２０の蓋側係合片１２８，１２８が突起通過部１２６ａ，１２６ａに対して９０度だけ相対回転した向きに配置されるのに対し、蓋側接続部材１４０の通過溝部１５２，１５２が係合突起１４２，１４２（すなわち、突起通過部１２６ａ，１２６ａ）に対して図１３における時計回りに１５度だけ相対回転した向きに配置されるため、図１３（ａ）に示すように、蓋側係合片１２８，１２８が通過溝部１５２，１５２を通過できずに蓋側接続部材１４０の面取り部１５６に当接した状態となる。
【００６４】
次に、摘み部１４３を摘んで蓋側接続部材１４０を蓋側接続部材１４０の挿入方向と平行な回転軸の回りに７５度だけ一方向に（図１３における時計回りに）回転させ、蓋側接続部材１４０の通過溝部１５２，１５２を蓋側係合部１２０の蓋側係合片１２８，１２８に位置整合させる。続いて、図１３（ｂ）に示すように、通過溝部１５２，１５２を蓋側係合片１２８，１２８に位置整合させた状態で、蓋側接続部材１４０の保持部１５１を蓋側係合部１２０の挿入口１２３から内部へ挿入し、蓋側係合片１２８，１２８を通過溝部１５２，１５２にそれぞれ通過させるようにして、保持部１５１（蓋側接続部材１４０）を蓋側係合部１２０の蓋側挿入部１２５に挿入する。
【００６５】
そして、図１３（ｃ）に示すように、蓋側挿入部１２５に挿入された蓋側接続部材１４０（保持部１５１）を蓋側接続部材１４０の挿入方向と平行な回転軸の回りに１５度（第２所定角度）だけ一方向に（図１３における時計回りに）回転させることで、蓋側係合部１２０の蓋側係合片１２８と蓋側接続部材１４０の係合溝部１５３とを係合させる。これにより、蓋側接続部材１４０（保持部１５１）が蓋側係合部１２０と係脱可能に係合する。なお、係合溝部１５３に（通過溝部１５２の反対側に）隣接する第１ストッパー部１５４により、蓋側係合部１２０と係合した蓋側接続部材１４０（保持部１５１）の一方向への（図１３における時計回りの）回転が規制される。また、通過溝部１５２に（係合溝部１５３の反対側に）隣接する第２ストッパー部１５５により、蓋側挿入部１２５に挿入された蓋側接続部材１４０（保持部１５１）の他方向への（図１３における反時計回りの）回転が規制される。
【００６６】
次に、上述のようにして本体側接続部材１３０が本体側係合部１１０と係合するとともに、蓋側接続部材１４０が蓋側係合部１２０と係合した状態で、図２３に示すように、ケース蓋部材７０を（揺動させて）ケース本体部材６０に対して閉じ、蓋側係合部１２０が本体側係合部１１０と対向して重なる状態にする。そうすると、図２６に示すように、蓋側接続部材１４０（接続部材係合部１４１）の係合突起１４２，１４２は本体側接続部材１３０の内側部に当接して内方へ弾性変形し、この係合突起１４２，１４２が本体側接続部材１３０の基端部近傍に達すると外方へ復元して本体側接続部材１３０の本体側穴部１３１，１３１と係合する。すなわち、図２３、図２５および図２６に示すように、蓋側接続部材１４０（接続部材係合部１４１）が本体側接続部材１３０と係合して本体側係合部１１０と蓋側係合部１２０とが連結された状態になる。
【００６７】
なおこのとき、（摘み部１４３を摘んで）蓋側接続部材１４０を本体側接続部材１３０とともに１５度（第２所定角度）だけ他方向に（図１３における反時計回りに）回転させることができるが、本体側接続部材１３０を９０度（第１所定角度）だけ回転させなければ本体側係合部１１０から離脱させることができないため、本体側接続部材１３０が本体側係合部１１０から離脱することはない。また、蓋側接続部材１４０が本体側接続部材１３０と係合した状態で蓋側接続部材１４０の保持部１５１が蓋側係合部１２０の仕切壁１２４に当接しているため、ケース蓋部材７０をケース本体部材６０に対して開放させようとしても蓋側接続部材１４０が蓋側係合部１２０から離脱することはない。すなわち、蓋側接続部材１４０（接続部材係合部１４１）が本体側接続部材１３０と係合した状態では、本体側係合部１１０からの本体側接続部材１３０の離脱、および蓋側係合部１２０からの蓋側接続部材１４０の離脱がともに規制される。
【００６８】
このようにして、ケース蓋部材７０を（揺動させて）ケース本体部材６０に対して閉じ、蓋側係合部１２０が本体側係合部１１０と対向して重なる状態にすると、本体側接続部材１３０と蓋側接続部材１４０とが係合して本体側係合部１１０と蓋側係合部１２０とが連結され、本体側係合部１１０からの本体側接続部材１３０の離脱、および蓋側係合部１２０からの蓋側接続部材１４０の離脱がともに規制されて、ケース本体部材６０にケース蓋部材７０を装着した状態が保持される。これにより、本体側係合部１１０と蓋側係合部１２０とを容易に連結させることができ、ケース本体部材６０とケース蓋部材７０とを閉止状態で容易に結合保持することができる。
【００６９】
そして、このような不正開放防止機構１００によりケース本体部材６０とケース蓋部材７０とが閉止状態で結合保持されれば、本体側係合部１１０と係合した本体側接続部材１３０と蓋側係合部１２０と係合した蓋側接続部材１４０との係合を解除するのは非常に困難であり、主基板ケース５５（主基板アッセンブリ５０）を開く時には蓋側連結部１２９を切断して蓋側係合部１２０とケース蓋部材７０とを切り離す必要があることから、主基板ケース５５（主基板アッセンブリ５０）の開放後にその切断痕跡が明確に残り、不正な開封を早期に発見することができるとともに、不正行為を効果的に抑止できる。そのため、主基板５１とメイン中継基板９１との間に行われる「ぶら下がり」と称される不正行為や、主基板９１またはメイン中継基板９１が不正な基板（不正ＲＯＭ）と交換される不正行為等を防止することができる。
【００７０】
なお、本体側接続部材１３０および蓋側接続部材１４０を係合させない組の本体側係合部１１０および蓋側係合部１２０においては、ケース蓋部材７０を（揺動させて）ケース本体部材６０に対して閉じると、蓋側係合部１２０が本体側係合部１１０と対向して重なるだけであり、本体側係合部１１０と蓋側係合部１２０とが連結されない状態となる。
【００７１】
次に、以上のようにしてケース本体部材６０とケース蓋部材７０とが閉止状態で結合保持された主基板アセンブリ５０において、その内部に収容された主基板５１（もしくは、メイン中継基板９１）の保守点検作業やＲＯＭ５２の検査等を行う場合について説明する。ＲＯＭ５２の検査等を行うときには、例えば、ニッパ等の工具を用いて本体側係合部１１０と連結した蓋側係合部１２０のケース蓋部材７０との蓋側連結部１２９を切断する。これにより、蓋側係合部１２０とケース蓋部材７０とが切り離されるので、主基板ケース５５（主基板アッセンブリ５０）を開放することができ、ケース蓋部材７０に覆われたＲＯＭ５２の検査等を行うことができる。
【００７２】
ところで、本体側係合部１１０および蓋側係合部１２０は、ケース本体部材６０およびケース蓋部材７０の他端側にそれぞれ４つずつ設けられているが、本体側係合部１１０と蓋側係合部１２０とを連結させてケース本体部材６０とケース蓋部材７０とを閉止状態で結合保持するときには、本体側係合部１１０および蓋側係合部１２０のいずれか一組を本体側接続部材１３０および蓋側接続部材１４０により連結させる。このため、本体側係合部１１０と連結した蓋側係合部１２０の蓋側連結部１２９が切断されても、他の組はまだ使用可能であり、上記のようにＲＯＭ５２の検査が完了した後は、未使用のいずれか一組の本体側係合部１１０と蓋側係合部１２０とを本体側接続部材１３０および蓋側接続部材１４０により連結させる。このため、本実施形態における主基板アセンブリ５０の場合には、途中において三度の検査が可能である。
【００７３】
未使用のいずれか一組の本体側係合部１１０と蓋側係合部１２０とを本体側接続部材１３０および蓋側接続部材１４０により連結させるには、まず、本体側接続部材１３０を本体側係合部１１０と係合させたときと逆の操作を行って、ケース蓋部材７０から切り離された蓋側係合部１２０および蓋側接続部材１４０とともに本体側接続部材１３０を本体側係合部１１０から離脱させる。次に、治具等を用いて本体側接続部材１３０を蓋側接続部材１４０から離脱させた後、蓋側接続部材１４０を蓋側係合部１２０と係合させたときと逆の操作を行って、蓋側接続部材１４０を蓋側係合部１２０から離脱させる。
【００７４】
そして、離脱させた本体側接続部材１３０および蓋側接続部材１４０を再び未使用のいずれか一組の本体側係合部１１０および蓋側係合部１２０に係合させ、ケース蓋部材７０を再びケース本体部材６０へ装着すればよい。このようにすれば、本体側接続部材１３０および蓋側接続部材１４０を再利用しつつ、ケース本体部材６０とケース蓋部材７０とを再度閉止状態で結合保持することができる。
【００７５】
なお、本実施形態において、蓋側接続部材１４０の接続部材連結部１５９が切断可能に構成されるようにしてもよい。このようにすれば、ニッパ等の工具を用いて接続部材連結部１５９を切断することにより、蓋側接続部材１４０の接続部材係合部１４１と保持部１５１とが切り離されるので、同様に、主基板ケース５５（主基板アッセンブリ５０）を開放することができ、ケース蓋部材７０に覆われたＲＯＭ５２の検査等を行うことができる。また、蓋側係合部１２０とケース蓋部材７０とを切り離すことがないため、蓋側接続部材１４０を交換する（本体側接続部材１３０も交換可能）ことにより、ケース本体部材６０とケース蓋部材７０とを何度でも再度閉止状態で結合保持することができる。すなわち、本体側係合部１１０および蓋側係合部１２０を一組だけ設ければよく、主基板ケース５５の製造コストを低減させることができる。
【００７６】
本体側係合部１１０と蓋側係合部１２０とを再び本体側接続部材１３０および蓋側接続部材１４０により連結させるには、まず、蓋側接続部材１４０（保持部１５１）を蓋側係合部１２０と係合させたときと逆の操作を行って、切り離された保持部１５１を蓋側係合部１２０から離脱させる。次に、本体側接続部材１３０を本体側係合部１１０と係合させたときと逆の操作を行って、切り離された接続部材係合部１４１とともに本体側接続部材１３０を本体側係合部１１０から離脱させた後、治具等を用いて接続部材係合部１４１を本体側接続部材１３０から離脱させる。
【００７７】
そして、離脱させた本体側接続部材１３０および新しい（接続部材連結部１５９が切断されていない）蓋側接続部材１４０を本体側係合部１１０および蓋側係合部１２０に係合させ、ケース蓋部材７０を再びケース本体部材６０へ装着すればよい。なおこのとき、蓋側接続部材１４０の材料としてＡＢＳ樹脂を使用することが好ましい。これにより、上記のような部材に対する切断操作を行うと、ＡＢＳ樹脂の成分であるブタジエンがゴム性を有して伸び、部材が割れずに白化しやすいため、その切断痕跡が明確に残りやすいという効果が得られる。
【００７８】
以上に説明した主基板ケース５５（主基板アッセンブリ５０）によれば、本体側係合部１１０に係合した本体側接続部材１３０と蓋側係合部１２０に係合した蓋側接続部材１４０とを係合させることにより、本体側係合部１１０と蓋側係合部１２０とが連結されるため、本体側係合部１１０と蓋側係合部１２０とを容易に連結させることができ、ケース本体部材６０とケース蓋部材７０とを閉止状態で容易に結合保持することができる。そのため、ケースの不正開放を簡便に防止しつつ２つの基板（すなわち、主基板５１およびメイン中継基板９１）を主基板ケース５５内に収容することが可能となる。
【００７９】
また、本体側接続部材１３０および蓋側接続部材１４０が本体側係合部１１０および蓋側係合部１２０に対して係脱可能に構成されるため、上述したように、蓋側接続部材１４０が接続部材係合部１４１と保持部１５１とを連結する切断可能な接続部材連結部１５９を有して構成されていれば、接続部材連結部１５９を切断してケース本体部材６０からケース蓋部材７０を外した後、接続部材連結部１５９が切断された蓋側接続部材１４０（保持部１５１）を蓋側係合部１２０から離脱させるとともに接続部材係合部１４１と係合した本体側接続部材１３０を本体側係合部１１０から離脱させ、接続部材連結部１５９が切断されていない蓋側接続部材１４０および本体側接続部材１３０を用いて再び本体側係合部１１０と蓋側係合部１２０とを連結させることで、ケース本体部材６０とケース蓋部材７０とを再度閉止状態で結合保持することができる。
【００８０】
さらに、上述したように、ケース本体部材６０およびケース蓋部材７０に複数の本体側係合部１１０および蓋側係合部１２０を設けることにより、蓋側連結部１２９を切断することでケース本体部材６０からケース蓋部材７０を外した後、蓋側連結部１２９が切断された組の本体側係合部１１０および蓋側係合部１２０から本体側接続部材１３０および蓋側接続部材１４０を離脱させ、離脱させた本体側接続部材１３０および蓋側接続部材１４０を用いてまだ蓋側連結部１２９が切断されていない組の本体側係合部１１０と蓋側係合部１２０とを連結させることで、本体側接続部材１３０および蓋側接続部材１４０を再利用しつつ、ケース本体部材６０とケース蓋部材７０とを再度閉止状態で結合保持することができる。すなわち、一組の本体側接続部材１３０および蓋側接続部材１４０だけで、ケース本体部材６０とケース蓋部材７０とを再度（複数回）閉止状態で結合保持することができる。
【００８１】
また、本体側接続部材１３０が本体側係合部１１０内の本体側挿入部１１２において挿入方向と平行な回転軸の回りに９０度（第１所定角度）だけ一方向に回転することで本体側係合部１１０と係合するように構成されるとともに、蓋側接続部材１４０が蓋側係合部１２０内の蓋側挿入部１２５において挿入方向と平行な回転軸の回りに（第１所定角度より少ない）１５度（第２所定角度）だけ一方向に回転することで蓋側係合部１２０と係合するように構成されることで、本体側接続部材１３０および蓋側接続部材１４０を本体側係合部１１０および蓋側係合部１２０に対して容易に係脱させることができる。
【００８２】
なお、上述の実施形態において、蓋側連結部１２９を切断することでケース本体部材６０からケース蓋部材７０を外すことができるように構成されているが、これに限られるものではなく、本体側連結部１１９を切断することでケース本体部材６０からケース蓋部材７０を外すことができるように構成されてもよい。
【００８３】
また、上述の実施形態において、蓋側連結部１２９もしくは接続部材連結部１５９を切断することでケース本体部材６０からケース蓋部材７０を外すことができるように構成されているが、これに限られるものではない。例えば、蓋側接続部材１４０に構成される第１ストッパー部１５４および第２ストッパー部１５５の代わりに、第１ストッパー部１５４および第２ストッパー部１５５と同等の機能を有する回転規制部を蓋側係合部１２０に連結して設け、この回転規制部を蓋側係合部１２０から切り離すことにより本体側接続部材１３０および蓋側接続部材１４０を回転自在にすることで、本体側接続部材１３０を本体側係合部１１０から離脱させてケース本体部材６０からケース蓋部材７０を外すことができるように構成されてもよい。
【００８４】
次に、不正開放防止機構の第二実施形態について図２７〜図３４を参照しながら説明する。なお、本実施形態の不正開放防止機構２００は、上述した第一実施形態の不正開放防止機構１００における蓋側係合部１２０および蓋側接続部材１４０の装置構成のみ異なり、他の装置構成は同様であるため同一部位に同一番号を付して重複説明を省略する。
【００８５】
第二実施形態の不正開放防止機構２００は、図２７に示すように、ケース本体部材６０に連結して設けられた４つの本体側係合部１１０，１１０，…と、ケース蓋部材７０に連結して設けられた４つの蓋側係合部２２０，２２０，…と、本体側係合部１１０と係脱可能に係合する本体側接続部材１３０と、蓋側係合部２２０と係脱可能に係合する蓋側接続部材２４０とを備え、ケース蓋部材７０がケース本体部材６０に対して閉じたときに本体側接続部材１３０と蓋側接続部材２４０とが係合することで本体側係合部１１０と蓋側係合部２２０とを連結可能に構成される。
【００８６】
蓋側係合部２２０は、第一実施形態の蓋側係合部１２０と同様に、ケース蓋部材７０の右端において、一端（図２７における下端）に蓋側開口部２２１を有する円筒状にケース蓋部材７０と一体に形成され、ケース蓋部材７０をケース本体部材６０へ装着したときに本体側係合部１１０と対向して重なるように構成される。なお、図示省略するが、ケース蓋部材７０と蓋側係合部２２０とに跨って、ケース蓋部材７０と蓋側係合部２２０とを連結する蓋側連結部（図示せず）が形成されている。
【００８７】
蓋側係合部２２０の一端側には、第一実施形態の蓋側係合部１２０と同様に、蓋側係合部２２０の胴部より若干径の小さい蓋側嵌合部２２２が形成されており、図３４に示すように、蓋側係合部２２０が本体側係合部１１０と対向して重なるときに、本体側係合部１１０の本体側開口部１１１から内側に入り込んで本体側係合部１１０と嵌合するようになっている。また、蓋側嵌合部２２２の基端部に繋がって先端当接部２２２ａが形成されており、蓋側係合部２２０が本体側係合部１１０と対向して重なるときに、本体側係合部１１０の一端側縁部が当接するようになっている。
【００８８】
これにより、ケース蓋部材７０をケース本体部材６０へ装着したときに、本体側係合部１１０の本体側開口部１１１と蓋側係合部２２０の蓋側開口部２２１とが互いに対向して繋がり閉鎖される。そのため、蓋側係合部２２０が本体側係合部１１０と対向して重なる状態で、蓋側係合部２２０の蓋側嵌合部２２２が本体側係合部１１０と嵌合し、本体側係合部１１０および蓋側係合部２２０の内部への不正なアクセスが防止される。
【００８９】
蓋側係合部２２０の他端には、図２７および図２９に示すように、蓋側接続部材２４０が通過可能な挿入口２２３が形成される。蓋側係合部２２０の内部中央には、仕切壁２２４が蓋側係合部２２０の内部を塞ぐように形成されており、この仕切壁２２４の他端側に隣接して蓋側接続部材２４０を挿入可能な蓋側挿入部２２５が形成されている。
【００９０】
仕切壁２２４の中央部には通過穴２２６が形成されており、蓋側接続部材２４０の接続部材係合部２４１（胴部）が通過できるようになっている。また、通過穴２２６の周部に繋がって一対の突起通過部２２６ａ，２２６ａが対称に形成されており、蓋側接続部材２４０の係合突起２４２，２４２がそれぞれ通過できるようになっている。さらに、突起通過部２２６ａ，２２６ａを除く通過穴２２６の周部には、一対の支持リブ２２７，２２７が他端側（挿入口２２３の方）へ延びるように形成されており、接続部材係合部２４１の側方を支持するようになっている。
【００９１】
仕切壁２２４における支持リブ２２７，２２７の近傍には、一対の回転規制部２２９，２２９が突出して形成されており、蓋側接続部材２４０の接続部材連結部２５９がこの回転規制部２２９に当接することで、蓋側挿入部２２５に挿入された蓋側接続部材２４０の図２８における反時計回りの（他方向への）回転が規制されるようになっている。なお、回転規制部２２９と仕切壁２２４（蓋側係合部２２０）との連結部である回転規制部連結部２２９ａ（図３２を参照）は、切断可能に構成されている。
【００９２】
蓋側係合部２２０の挿入口２２３には、蓋側係合片２２８，２２８がそれぞれ突出して形成されており、蓋側接続部材２４０の係合溝部２５３，２５３とそれぞれ係合可能に構成されている。なお、２つの蓋側係合片２２８，２２８は、突起通過部２２６ａ，２２６ａに対して９０度だけ相対回転した向きに、１８０度間隔で（互いに対向して）蓋側係合部２２０の挿入口２２３に配置される。
【００９３】
蓋側接続部材２４０は、第一実施形態の蓋側接続部材１４０と同様に、ＡＢＳ樹脂やポリカーボネート（ＰＣ）等の樹脂材料を用いて、射出成形等の成形手段により略コマ形状に一体的に成形され、図２７に示すように、本体側接続部材１３０と係合可能な略筒状の接続部材係合部２４１と、接続部材係合部２４１の周囲に連結されて蓋側係合部２２０と係脱可能に係合するリング状の保持部２５１と、接続部材係合部２４１と保持部２５１とを連結する接続部材連結部２５９とを主体に構成される。接続部材係合部２４１の先端部には、一対の係合突起２４２，２４２が弾性変形可能に形成されており、本体側接続部材１３０の本体側穴部１３１，１３１とそれぞれ係合するようになっている。
【００９４】
接続部材係合部２４１の基端部には摘み部２４３が形成されており、この摘み部２４３を摘んで蓋側接続部材２４０を容易に回転させることができるようになっている。また、摘み部２４３は、図３２に示すように、蓋側係合部２２０と蓋側接続部材２４０とが係合した状態で、蓋側係合部２２０の他端側（図３２における上方）に突出するようになっている。これにより、工具等を用いずに蓋側係合部２２０と係合した（蓋側挿入部２２５に挿入された）蓋側接続部材２４０を容易に回転させることができる。
【００９５】
保持部２５１は、蓋側係合部２２０の蓋側挿入部２２５における内周部の形状に合わせたリング状に形成されており、蓋側挿入部２２５に挿入された蓋側接続部材２４０（保持部２５１）が蓋側接続部材２４０の挿入方向と平行な回転軸の回りに回転できるようになっている。保持部２５１の側部２箇所には、蓋側係合部２２０の蓋側係合片２２８，２２８が通過可能な通過溝部２５２，２５２が保持部２５１の中心軸方向に延びて形成されており、図２８（ｂ）に示すように、蓋側接続部材２４０を蓋側係合部２２０の挿入口２２３から内部へ挿入する際に蓋側係合片２２８，２２８を通過溝部２５２，２５２にそれぞれ通過させることで、保持部２５１（蓋側接続部材２４０）を蓋側挿入部２２５に挿入することができるようになっている。なお、２つの通過溝部２５２，２５２は、係合突起２４２，２４２に対して図３０における時計回りに１５度だけ相対回転した向きに、１８０度間隔で（対称に）保持部２５１の側部に配置される。
【００９６】
通過溝部２５２から図３０における反時計回りに１５度だけ相対回転した位置には、蓋側係合部２２０の蓋側係合片２２８と係合可能な係合溝部２５３が通過溝部２５２に繋がって形成されており、図２８（ｃ）に示すように、蓋側挿入部２２５に挿入された蓋側接続部材２４０（保持部２５１）を蓋側接続部材２４０の挿入方向と平行な回転軸の回りに１５度（第２所定角度）だけ一方向に（図２８における時計回りに）回転させることで、蓋側係合片２２８と係合溝部２５３とが係合するようになっている。これにより、蓋側接続部材２４０（保持部２５１）が蓋側挿入部２２５において挿入方向と平行な回転軸の回りに９０度（第１所定角度）より少ない１５度（第２所定角度）だけ一方向に回転することで蓋側係合部２２０と係合することができ、蓋側接続部材２４０を蓋側係合部２２０に対して容易に係脱させることができる。なお、係合溝部２５３の向きは係合突起２４２の向きとほぼ同じになる。
【００９７】
また、係合溝部２５３に（通過溝部２５２の反対側に）隣接して第１ストッパー部２５４が形成されており、蓋側係合部２２０と係合した蓋側接続部材２４０（保持部２５１）の一方向への（図２８における時計回りの）回転が規制されるようになっている。また、図２７および図３１に示すように、保持部２５１の底部には、蓋側挿入部２２５の底部（仕切壁２２４）の形状に合わせて面取り部２５６が形成されている。
【００９８】
このように構成される不正開放防止機構２００において、ケース蓋部材７０をケース本体部材６０に対して閉じた状態で本体側係合部１１０と蓋側係合部２２０とを連結するには、第一実施形態の不正開放防止機構１００と同様に、まず、本体側接続部材１３０を所望の本体側係合部１１０と係合させるとともに、蓋側接続部材２４０を所望の（上述の）本体側係合部１１０と連結可能な蓋側係合部２２０と係合させる。本体側接続部材１３０を本体側係合部１１０と係合させるには、第一実施形態の不正開放防止機構１００と同様にして行う。
【００９９】
蓋側接続部材２４０を蓋側係合部２２０と係合させるには、まず、蓋側接続部材２４０の接続部材係合部２４１を蓋側係合部２２０の挿入口２２３から内部へ挿入し、接続部材係合部２４１の係合突起２４２，２４２を蓋側係合部２２０の突起通過部２２６ａ，２２６ａにそれぞれ通過させるようにして、接続部材係合部２４１を蓋側係合部２２０の通過穴２２６および蓋側開口部２２１に通過させる。このとき、第一実施形態の不正開放防止機構１００と同様に、図２８（ａ）に示すように、蓋側係合片２２８，２２８が通過溝部２５２，２５２を通過できずに蓋側接続部材２４０の面取り部２５６に当接した状態となる。
【０１００】
次に、摘み部２４３を摘んで蓋側接続部材２４０を蓋側接続部材２４０の挿入方向と平行な回転軸の回りに７５度だけ一方向に（図２８における時計回りに）回転させ、蓋側接続部材２４０の通過溝部２５２，２５２を蓋側係合部２２０の蓋側係合片２２８，２２８に位置整合させる。続いて、図２８（ｂ）に示すように、通過溝部２５２，２５２を蓋側係合片２２８，２２８に位置整合させた状態で、蓋側接続部材２４０の保持部２５１を蓋側係合部２２０の挿入口２２３から内部へ挿入し、蓋側係合片２２８，２２８を通過溝部２５２，２５２にそれぞれ通過させるようにして、保持部２５１（蓋側接続部材２４０）を蓋側係合部２２０の蓋側挿入部２２５に挿入する。
【０１０１】
そして、図２８（ｃ）に示すように、蓋側挿入部２２５に挿入された蓋側接続部材２４０（保持部２５１）を蓋側接続部材２４０の挿入方向と平行な回転軸の回りに１５度（第２所定角度）だけ一方向に（図２８における時計回りに）回転させることで、蓋側係合部２２０の蓋側係合片２２８と蓋側接続部材２４０の係合溝部２５３とを係合させる。これにより、蓋側接続部材２４０（保持部２５１）が蓋側係合部２２０と係脱可能に係合する。なお、係合溝部２５３に（通過溝部２５２の反対側に）隣接する第１ストッパー部２５４により、蓋側係合部２２０と係合した蓋側接続部材２４０（保持部２５１）の一方向への（図２８における時計回りの）回転が規制される。また、蓋側係合部２２０に形成された回転規制部２２９により、蓋側挿入部２２５に挿入された蓋側接続部材２４０（保持部２５１）の他方向への（図２８における反時計回りの）回転が規制される。
【０１０２】
次に、上述のようにして本体側接続部材１３０が本体側係合部１１０と係合するとともに、蓋側接続部材２４０が蓋側係合部２２０と係合した状態で、ケース蓋部材７０を（揺動させて）ケース本体部材６０に対して閉じ、図３２に示すように、蓋側係合部２２０が本体側係合部１１０と対向して重なる状態にする。そうすると、図３４に示すように、蓋側接続部材２４０（接続部材係合部２４１）の係合突起２４２，２４２は本体側接続部材１３０の内側部に当接して内方へ弾性変形し、この係合突起２４２，２４２が本体側接続部材１３０の基端部近傍に達すると外方へ復元して本体側接続部材１３０の本体側穴部１３１，１３１と係合する。すなわち、図３２〜図３４に示すように、蓋側接続部材２４０（接続部材係合部２４１）が本体側接続部材１３０と係合して本体側係合部１１０と蓋側係合部２２０とが連結された状態になる。
【０１０３】
なおこのとき、（摘み部２４３を摘んで）蓋側接続部材２４０を本体側接続部材１３０とともに１５度（第２所定角度）だけ他方向に（図２８における反時計回りに）回転させることができるが、本体側接続部材１３０を９０度（第１所定角度）だけ回転させなければ本体側係合部１１０から離脱させることができないため、本体側接続部材１３０が本体側係合部１１０から離脱することはない。また、蓋側接続部材２４０が本体側接続部材１３０と係合した状態で蓋側接続部材２４０の保持部２５１が蓋側係合部２２０の仕切壁２２４に当接しているため、ケース蓋部材７０をケース本体部材６０に対して開放させようとしても、蓋側接続部材２４０が蓋側係合部２２０から離脱することはない。すなわち、蓋側接続部材２４０（接続部材係合部２４１）が本体側接続部材１３０と係合した状態では、本体側係合部１１０からの本体側接続部材１３０の離脱、および蓋側係合部２２０からの蓋側接続部材２４０の離脱がともに規制される。
【０１０４】
このようにして、ケース蓋部材７０を（揺動させて）ケース本体部材６０に対して閉じ、蓋側係合部２２０が本体側係合部１１０と対向して重なる状態にすると、本体側接続部材１３０と蓋側接続部材２４０とが係合して本体側係合部１１０と蓋側係合部２２０とが連結され、本体側係合部１１０からの本体側接続部材１３０の離脱、および蓋側係合部２２０からの蓋側接続部材２４０の離脱がともに規制されて、ケース本体部材６０にケース蓋部材７０を装着した状態が保持される。これにより、本体側係合部１１０と蓋側係合部２２０とを容易に連結させることができ、ケース本体部材６０とケース蓋部材７０とを閉止状態で容易に結合保持することができる。
【０１０５】
このような不正開放防止機構２００によりケース本体部材６０とケース蓋部材７０とが閉止状態で結合保持されれば、本体側係合部１１０と係合した本体側接続部材１３０と蓋側係合部２２０と係合した蓋側接続部材２４０との係合を解除するのは非常に困難である。主基板ケース５５（主基板アッセンブリ５０）を開くには、（摘み部２４３を摘んで）蓋側接続部材２４０を本体側接続部材１３０とともに９０度（第１所定角度）だけ他方向に（図２８における反時計回りに）比較的強い力で回転させることで、蓋側接続部材２４０の接続部材連結部２５９を蓋側係合部２２０の回転規制部２２９に当接させて回転規制部連結部２２９ａを切断しつつ、本体側接続部材１３０と本体側係合部１１０との係合状態を解除する必要がある。そのため、主基板ケース５５（主基板アッセンブリ５０）の開放後にその切断痕跡が明確に残り、不正な開封を早期に発見することができるとともに、不正行為を効果的に抑止できる。これにより、主基板５１とメイン中継基板９１との間に行われる「ぶら下がり」と称される不正行為や、主基板９１またはメイン中継基板９１が不正な基板（不正ＲＯＭ）と交換される不正行為等を防止することができる。
【０１０６】
なお、本体側接続部材１３０および蓋側接続部材２４０を係合させない組の本体側係合部１１０および蓋側係合部２２０においては、ケース蓋部材７０を（揺動させて）ケース本体部材６０に対して閉じると、蓋側係合部２２０が本体側係合部１１０と対向して重なるだけであり、本体側係合部１１０と蓋側係合部２２０とが連結されない状態となる。
【０１０７】
次に、以上のようにしてケース本体部材６０とケース蓋部材７０とが閉止状態で結合保持された主基板アセンブリ５０において、その内部に収容された主基板５１（もしくは、メイン中継基板９１）の保守点検作業やＲＯＭ５２の検査等を行う場合について説明する。ＲＯＭ５２の検査等を行うときには、摘み部２４３を摘んで蓋側接続部材２４０を本体側接続部材１３０とともに９０度（第１所定角度）だけ他方向に（図２８における反時計回りに）比較的強い力で回転させる。
【０１０８】
そうすると、蓋側接続部材２４０の接続部材連結部２５９が蓋側係合部２２０の回転規制部２２９に当接して回転規制部連結部２２９ａが切断され、回転規制部２２９が蓋側係合部２２０から切り離されるため、蓋側接続部材２４０が本体側接続部材１３０とともに９０度（第１所定角度）まで他方向に回転可能になり、本体側接続部材１３０と本体側係合部１１０との係合状態が解除される。これにより、蓋側接続部材２４０と係合した本体側接続部材１３０を本体側係合部１１０から離脱させることができるため、主基板ケース５５（主基板アッセンブリ５０）を開放することができ、ケース蓋部材７０に覆われたＲＯＭ５２の検査等を行うことができる。
【０１０９】
ところで、本体側係合部１１０および蓋側係合部２２０は、ケース本体部材６０およびケース蓋部材７０の他端側にそれぞれ４つずつ設けられており、第一実施形態の不正開放防止機構１００と同様に、上記のようにＲＯＭ５２の検査が完了した後は、未使用のいずれか一組の本体側係合部１１０と蓋側係合部２２０とを本体側接続部材１３０および蓋側接続部材２４０により連結させる。このため、本実施形態においても、途中において三度の検査が可能である。
【０１１０】
未使用のいずれか一組の本体側係合部１１０と蓋側係合部２２０とを本体側接続部材１３０および蓋側接続部材２４０により連結させるには、まず、治具等を用いて本体側接続部材１３０を蓋側接続部材２４０から離脱させた後、蓋側接続部材２４０を蓋側係合部２２０と係合させたときと逆の操作を行って、蓋側接続部材２４０を蓋側係合部２２０から離脱させる。
【０１１１】
そして、離脱させた本体側接続部材１３０および蓋側接続部材２４０を再び未使用のいずれか一組の本体側係合部１１０および蓋側係合部２２０に係合させ、ケース蓋部材７０を再びケース本体部材６０へ装着すればよい。このようにすれば、本体側接続部材１３０および蓋側接続部材２４０を再利用しつつ、ケース本体部材６０とケース蓋部材７０とを再度閉止状態で結合保持することができる。
【０１１２】
以上に説明した第二実施形態の不正開放防止機構２００を備えた主基板ケース５５によれば、本体側係合部１１０に係合した本体側接続部材１３０と蓋側係合部２２０に係合した蓋側接続部材２４０とを係合させることにより、本体側係合部１１０と蓋側係合部２２０とが連結されるため、本体側係合部１１０と蓋側係合部２２０とを容易に連結させることができ、ケース本体部材６０とケース蓋部材７０とを閉止状態で容易に結合保持することができる。そのため、第一実施形態の不正開放防止機構１００と同様に、ケースの不正開放を簡便に防止しつつ２つの基板（すなわち、主基板５１およびメイン中継基板９１）を主基板ケース５５内に収容することが可能となる。
【０１１３】
また、回転規制部２２９における回転規制部連結部２２９ａが切断可能に構成され、蓋側接続部材２４０を本体側接続部材１３０とともに９０度（第１所定角度）だけ他方向に（図２８における反時計回りに）回転させることで、蓋側接続部材２４０が回転規制部２２９に当接して回転規制部連結部２２９ａを切断しつつ本体側接続部材１３０と本体側係合部１１０との係合状態が解除されることにより、ケース本体部材６０からケース蓋部材７０を外すことができるが、このように連結部を切断したときにはその破壊痕跡が残るためこれを容易に発見でき、不正行為を効果的に抑止できる。
【０１１４】
さらに、本体側接続部材１３０および蓋側接続部材２４０が本体側係合部１１０および蓋側係合部２２０に対して係脱可能に構成されるため、ケース本体部材６０およびケース蓋部材７０に複数の本体側係合部１１０および蓋側係合部２２０を設けることにより、ＲＯＭ５２の検査完了後、回転規制部連結部２２９ａが切断された組の本体側係合部１１０および蓋側係合部２２０から本体側接続部材１３０および蓋側接続部材２４０を離脱させ、離脱させた本体側接続部材１３０および蓋側接続部材２４０を用いてまだ回転規制部連結部２２９ａが切断されていない組の本体側係合部１１０と蓋側係合部２２０とを連結させることで、本体側接続部材１３０および蓋側接続部材２４０を再利用しつつ、ケース本体部材６０とケース蓋部材７０とを再度閉止状態で結合保持することができる。
【０１１５】
また、本体側接続部材１３０が本体側係合部１１０内の本体側挿入部１１２において挿入方向と平行な回転軸の回りに９０度（第１所定角度）だけ一方向に回転することで本体側係合部１１０と係合するように構成されるとともに、蓋側接続部材２４０が蓋側係合部２２０内の蓋側挿入部２２５において挿入方向と平行な回転軸の回りに（第１所定角度より少ない）１５度（第２所定角度）だけ一方向に回転することで蓋側係合部２２０と係合するように構成されることで、本体側接続部材１３０および蓋側接続部材２４０を本体側係合部１１０および蓋側係合部２２０に対して容易に係脱させることができる。
【０１１６】
なお、上述の各実施形態において、主基板ケース５５の内部における主基板５１とメイン中継基板９１との間に、（ハーネスが通過可能な）仕切りを設けるようにしてもよい。このようにすれば、主基板５１およびメイン中継基板９１に対する不正なアクセスをより効果的に防止することができる。例えば、図５の二点鎖線で示すように、ケース蓋部材７０の内面側において、主基板５１とメイン中継基板９１との間に位置するように仕切り２７９を形成するようにしてもよい。また、この仕切り２７９は、主基板５１とメイン中継基板９１との間に位置するように、内部カバー８０の前面側に形成するようにしてもよい。
【０１１７】
また、上述の各実施形態において、主基板５１およびメイン中継基板９１、並びに内部カバー８０がケース蓋部材７０の内面側に取り付けられているが、これに限られるものではなく、例えば、内部カバー８０を用いずに、主基板５１およびメイン中継基板９１をケース本体部材６０の内面側に取り付けるようにしてもよく、ケース本体部材６０にケース蓋部材７０を装着して形成されるケース内部に、主基板５１およびメイン中継基板９１が収容されていればよい。
【０１１８】
さらに、上述の各実施形態において、主基板アッセンブリ５０に構成される主基板ケース５５に主基板５１およびメイン中継基板９１が収容されているが、これに限られるものではなく、例えば、サブ制御基板アッセンブリ１８に構成されるサブ制御基板ケース（図示せず）に、サブ制御基板と、このサブ制御基板と主基板に繋がる中継基板とが収容されるようにしてもよく、このようなサブ制御基板ケースにも本発明を適用することができる。さらに、払出制御基板や発射制御基板等の電子部品（例えば、賞球装置や打球発射装置）を制御可能な（ＲＯＭ等を有する）制御基板においても、制御基板およびこの制御基板に繋がる中継基板を本発明に係る基板ケースに収容することが好ましい。
【０１１９】
また、上述の各実施形態において、第１の基板としての主基板５１と、第２の基板としてのメイン中継基板９１とが主基板ケース５５に収容されているが、これに限られるものではなく、３つ以上の基板が基板ケースに収容されていてもよい。なおこのとき、各基板の間に、前述のような仕切り２７９（図５を参照）を複数設けるようにしてもよい。
【０１２０】
さらに、上述の各実施形態において、主基板ケース５５および不正開放防止機構１００（不正開放防止機構２００）を備えた主基板アッセンブリ５０がパチンコ機ＰＭに設けられているが、これに限られるものではなく、例えば、スロットマシンや雀球遊技機等の遊技機に設けられてもよい。
【０１２１】
また、上述の各実施形態において、本体側接続部材１３０が円筒状に形成されるとともに、蓋側接続部材１４０（蓋側接続部材２４０）が略コマ形状に形成されているが、これに限られるものではなく、例えば、断面矩形の直方体や立方体状に形成されてもよく、本体側接続部材および蓋側接続部材が本体側係合部および蓋側係合部と係脱可能に係合する構成であればよい。
【０１２２】
さらに、上述の各実施形態において、本体側接続部材１３０に本体側穴部１３１が形成されるとともに、蓋側接続部材１４０（蓋側接続部材２４０）に係合突起１４２が形成されているが、これに限られるものではなく、本体側接続部材に係合突起を形成するとともに、蓋側接続部材に本体側穴部を形成するようにしてもよい。
【０１２３】
また、上述の各実施形態において、ケース本体部材６０およびケース蓋部材７０に本体側係合部１１０および蓋側係合部１２０（蓋側係合部２２０）が四組設けられているが、これに限られるものではなく、一組だけ設けられてもよく、さらに四組以外の複数組設けられてもよい。また、上述の各実施形態において、本体側係合部１１０と蓋側係合部１２０（蓋側係合部２２０）とが一度に一組だけ連結されているが、これに限られるものではなく、一度に複数組連結させてもよい。
【０１２４】
さらに、上述の各実施形態において、メイン中継基板９１は、主基板５１からの信号のみを受信可能に構成されているが、これに限られるものではなく、例えば、主基板５１と信号を送受信可能に電気接続されるようにしてもよく、主基板５１への信号送信だけを可能に主基板５１と電気接続されるようにしてもよい。
【０１２５】
また、上述の第二実施形態において、蓋側接続部材２４０を回転規制部２２９に当接させて回転規制部連結部２２９ａを切断することで、蓋側接続部材２４０を本体側接続部材１３０とともに９０度（第１所定角度）だけ他方向に（図２８における反時計回りに）回転させることができるように構成されているが、これに限られるものではない。例えば、蓋側接続部材２４０の接続部材連結部２５９を切断可能に構成し、回転規制部２２９に当接した蓋側接続部材２４０を比較的強い力でさらに他方向に回転させることで、接続部材連結部２５９を切断して接続部材係合部２４１を保持部２５１から分離するようにしてもよい。
【図面の簡単な説明】
【０１２６】
【図１】本発明に係る基板ケースを備えた遊技機の一例として示すパチンコ機の正面図である。
【図２】上記パチンコ機の裏面側を示す背面図である。
【図３】主基板アッセンブリの斜視図である。
【図４】主基板アッセンブリの側断面図である。
【図５】主基板アッセンブリの分解斜視図である。
【図６】ケース蓋部材の背面図である。
【図７】（ａ）は係止アームが係止突起に係止した状態を示す拡大図であり、（ｂ）は係止アームが係止突起に係止した状態を示す拡大側断面図である。
【図８】（ａ）は係止アームが係止突起に係止する前の状態を示す拡大図であり、（ｂ）は係止アームが係止突起に係止する前の状態を示す拡大側断面図である。
【図９】第一実施形態における不正開放防止機構の分解斜視図である。
【図１０】本体側接続部材が本体側係合部と係合した状態を示す斜視図である。
【図１１】本体側接続部材が本体側係合部と係合した状態を示す平面図である。
【図１２】図１１中の矢印XII−XIIに沿った平断面図である。
【図１３】蓋側接続部材が蓋側係合部と係合する過程を（ａ）〜（ｃ）の順に時系列で表す説明図である。
【図１４】本体側係合部の平面図である。
【図１５】本体側係合部の底面図である。
【図１６】蓋側係合部を一端側から見た斜視図である。
【図１７】蓋側係合部の平面図である。
【図１８】本体側接続部材を底面側から見た斜視図である。
【図１９】本体側接続部材の平面図である。
【図２０】本体側接続部材の正面図である。
【図２１】蓋側接続部材の平面図である。
【図２２】蓋側接続部材の側面図である。
【図２３】閉鎖状態の主基板アッセンブリの側断面図である。
【図２４】開放状態の主基板アッセンブリの拡大側面図（部分断面図）である。
【図２５】不正開放防止機構の斜視図である。
【図２６】図２３中の矢印XXVI−XXVIに沿った断面図である。
【図２７】第二実施形態における不正開放防止機構の分解斜視図である。
【図２８】第二実施形態における蓋側接続部材が蓋側係合部と係合する過程を（ａ）〜（ｃ）の順に時系列で表す説明図である。
【図２９】第二実施形態における蓋側係合部の平面図である。
【図３０】第二実施形態における蓋側接続部材の平面図である。
【図３１】第二実施形態における蓋側接続部材の側面図である。
【図３２】第二実施形態における不正開放防止機構の側断面図である。
【図３３】第二実施形態における不正開放防止機構の斜視図である。
【図３４】図３２中の矢印XXXIV−XXXIVに沿った断面図である。
【符号の説明】
【０１２７】
ＰＭ  パチンコ機
１８  サブ制御基板アッセンブリ
４０  電源基板アッセンブリ
５０  主基板アッセンブリ
５１  主基板（５１ａ  基板取付孔）
５５  主基板ケース
６０  ケース本体部材
７０  ケース蓋部材
９１  メイン中継基板（９１ａ  基板取付孔）
１００  不正開放防止機構
１１０  本体側係合部
１１１  本体側開口部
１１２  本体側挿入部
１２０  蓋側係合部
１２１  蓋側開口部
１２３  挿入口
１２５  蓋側挿入部
１３０  本体側接続部材
１４０  蓋側接続部材
２００  不正開放防止機構（第二実施形態）
２２０  蓋側係合部
２２１  蓋側開口部
２２３  挿入口
２２５  蓋側挿入部
２４０  蓋側接続部材
【図１】
2006020729.tif 000003
【図２】
2006020729.tif 000004
【図３】
2006020729.tif 000005
【図４】
2006020729.tif 000006
【図５】
2006020729.tif 000007
【図６】
2006020729.tif 000008
【図７】
2006020729.tif 000009
【図８】
2006020729.tif 000010
【図９】
2006020729.tif 000011
【図１０】
2006020729.tif 000012
【図１１】
2006020729.tif 000013
【図１２】
2006020729.tif 000014
【図１３】
2006020729.tif 000015
【図１４】
2006020729.tif 000016
【図１５】
2006020729.tif 000017
【図１６】
2006020729.tif 000018
【図１７】
2006020729.tif 000019
【図１８】
2006020729.tif 000020
【図１９】
2006020729.tif 000021
【図２０】
2006020729.tif 000022
【図２１】
2006020729.tif 000023
【図２２】
2006020729.tif 000024
【図２３】
2006020729.tif 000025
【図２４】
2006020729.tif 000026
【図２５】
2006020729.tif 000027
【図２６】
2006020729.tif 000028
【図２７】
2006020729.tif 000029
【図２８】
2006020729.tif 000030
【図２９】
2006020729.tif 000031
【図３０】
2006020729.tif 000032
【図３１】
2006020729.tif 000033
【図３２】
2006020729.tif 000034
【図３３】
2006020729.tif 000035
【図３４】
2006020729.tif 000036